(57)【要約】      （修正有）【課題】車両内機器の操作マニュアルを簡単に得ることができる車両内機器の情報入手システムを提供する。【解決手段】車両内機器の情報入手システム１は、車両内機器１０に設けられたタグ２０と、各種情報を記憶可能な記憶手段と、各種情報を表示可能な表示手段３８と、タグ２０を認識可能な認識手段と、を有する携帯端末装置３０と、を備えている。そして、携帯端末装置３０は、認識手段がタグ２０を認識すると、認識したタグ２０に対応した車両内機器１０の各種情報を記憶手段から読み出して表示手段３８に表示させる。【選択図】図１
2014000912.tif 000002
【特許請求の範囲】
【請求項１】
車両内機器に設けられたタグと、
各種情報を記憶可能な記憶手段と、各種情報を表示可能な表示手段と、タグを認識可能な認識手段と、を有する携帯端末装置と、を備えており、
認識手段がタグを認識すると、認識したタグに対応した車両内機器の各種情報を記憶手段から読み出して表示手段に表示する車両内機器の情報入手システム。
【請求項２】
車両内機器に設けられたタグと、
各種情報を記憶可能な記憶手段と、各種情報を表示可能な表示手段と、タグを認識可能な認識手段と、公衆回線を介して各種情報を送受信可能な送受信手段と、を有する携帯端末装置と、を備えており、
認識手段がタグを認識すると、認識したタグに対応した車両内機器の各種情報を送受信手段からダウンロードして表示手段に表示する車両内機器の情報入手システム。
【発明の詳細な説明】
【技術分野】
【０００１】
本発明は、車両内機器の情報入手システムに関する。
【背景技術】
【０００２】
従来、着座する乗員の体格に合うように、シートクッションのスライド位置やシートバックの傾き位置を調整可能な車両用シートが既に知られている。ここで、下記特許文献１には、予め、特定の乗員が所持する携帯電話の固有情報と、この特定の乗員の体格に合う（特定の乗員が所望する）シートクッションのスライド位置やシートバックの傾き位置と、を対応付けて車両機器制御装置に記憶しておき、この特定の乗員が乗車するときに、車両機器制御装置が、この特定の乗員の携帯電話の固有情報を認識すると、シートクッションのスライド位置やシートバックの傾き位置がこの固有情報に対応付けて記憶している位置に自動で切り替わる車両用シートが開示されている。これにより、特定の乗員が乗車するとき、携帯電話の操作のみで、この特定の乗員の体格に合った（特定の乗員が所望する）スライド位置や傾き位置にシートクッションやシートバックを自動で切り替えることができる。したがって、特定の乗員は、携帯電話の操作のみという簡単な操作で、自身の体格に合った（自身が所望する）スライド位置や傾き位置にシートクッションやシートバックを自動で切り替えることができる。
【先行技術文献】
【特許文献】
【０００３】
【特許文献１】特開２００８−１９５２２８号公報
【発明の概要】
【発明が解決しようとする課題】
【０００４】
しかしながら、上述した特許文献１の技術では、シートクッションやシートバックを予め記憶していたスライド位置や傾き位置にしか切り替えることができなかった。また、シートがアレンジできる場合であっても、このアレンジの操作方法が分かりにくいこともあった。この場合、マニュアルが存在すれば、乗員はアレンジの操作方法を知ることができるが、このマニュアルだけでは、アレンジしたシートの動きまで知ることができなかった。また、車種ごとにシートも異なることがあるため、車種ごとにシートアレンジの操作マニュアルを準備しなければいけなかった。
【０００５】
本発明は、このような課題を解決しようとするもので、その目的は、車両内機器の操作マニュアルを簡単に得ることができる車両内機器の情報入手システムを提供することである。
【課題を解決するための手段】
【０００６】
本発明は、上記の目的を達成するためのものであって、以下のように構成されている。
請求項１に記載の発明は、車両内機器に設けられたタグと、各種情報を記憶可能な記憶手段と、各種情報を表示可能な表示手段と、タグを認識可能な認識手段と、を有する携帯端末装置と、を備えており、認識手段がタグを認識すると、認識したタグに対応した車両内機器の各種情報を記憶手段から読み出して表示手段に表示する構成である。
この構成によれば、車両内機器が、例えば、チルトダウン可能な２列目シートである場合、この２列目シートに取り付けられているタグを携帯端末装置に認識させると、認識させた携帯端末装置にこの２列目シートがチルトダウンしている映像を表示させることができる。すなわち、携帯端末装置の簡単な操作のみで、２列目シートがチルトダウン動作している映像を表示させることができる。したがって、２列目シートの操作マニュアル（この場合、シートアレンジの操作マニュアル）を簡単に得ることができる。
【０００７】
また、請求項２に記載の発明は、車両内機器に設けられたタグと、各種情報を記憶可能な記憶手段と、各種情報を表示可能な表示手段と、タグを認識可能な認識手段と、公衆回線を介して各種情報を送受信可能な送受信手段と、を有する携帯端末装置と、を備えており、認識手段がタグを認識すると、認識したタグに対応した車両内機器の各種情報を送受信手段からダウンロードして表示手段に表示する構成である。
この構成によれば、記憶手段の記憶容量を小さくても、請求項１と同様の作用効果を得ることができる。
【図面の簡単な説明】
【０００８】
【図１】図１は、本発明の実施例に係る情報入手システムの全体構成図である。
【図２】図２は、図１のスマートフォンの電気的構成を示すブロック図である。
【図３】図３は、図２のスマートフォンの処理を示すフローチャートである。
【図４】図４は、図３のステップＳ５において、スマートフォンの記憶手段から読み出したアレンジメニューをスマートフォンに表示させた状態を示す図である。
【図５】図５は、図３のステップＳ７において、スマートフォンの記憶手段から読み出したアレンジ映像をスマートフォンに表示させた状態を示す図である。
【発明を実施するための形態】
【０００９】
以下、本発明を実施するための形態を、図１〜５を用いて説明する。なお、以下の説明にあたって、「車両内機器」の例として、「車両の２列目シート１０」を説明することとする。また、「タグ」の例として、「ＱＲコード（登録商標）を有するタグ２０」を説明することとする。また、「携帯端末装置」の例として、「スマートフォン３０」を説明することとする。
【００１０】
まず、図１を参照して、本発明の実施例に係る情報入手システム１の全体構成を説明する。この情報入手システム１は、車両（図示しない）内に設けられた左側の２列目シート１０と、スマートフォン３０とから構成されている。以下に、これら２列目シート１０とスマートフォン３０との構成を個別に順に説明していく。
【００１１】
はじめに、２列目シート１０から説明していく。この２列目シート１０は、公知のものであり、シートアレンジが可能となっている。このシートアレンジとは、例えば、チルトダウンのことである。この２列目シート１０のアウタ側のシールド１２には、タグ２０が取り付けられている。このタグ２０にはＱＲコード（登録商標）が付されており、この付されているＱＲコード（登録商標）を後述するスマートフォン３０の認識手段４０は認識可能となっている。
【００１２】
次に、図２を参照して、スマートフォン３０を説明する。このスマートフォン３０は、公知のものであり、制御手段３２と入力手段３４と記憶手段３６と表示手段３８と認識手段４０とから構成されている。制御手段３２は、スマートフォン３０の指令部として機能するものであり、入力手段３４からの操作に基づいて、記憶手段３６と表示手段３８と認識手段４０に対して各種指令を与えるものである。
【００１３】
入力手段３４は、スマートフォン３０のインターフェイスとして機能するものであり、スマートフォン３０の所有者の操作に基づいて、制御手段３２に各種指令を与えるものである。記憶手段３６は、スマートフォン３０の記憶部として機能するものであり、制御手段３２が記憶手段３６自身と表示手段３８と認識手段４０に対して与える指令のプログラムや各種情報を記憶しているものである。この各種情報には、例えば、シートアレンジのアレンジメニュやこのアレンジメニュに対応したアレンジ映像等の操作マニュアルも含まれている。
【００１４】
表示手段３８は、スマートフォン３０の表示部として機能するものであり、例えば、液晶ディスプレイである。この表示手段３８には、各種情報を表示できる。認識手段４０は、スマートフォン３０の撮影部として機能するものであり、例えば、カメラである。この認識手段４０は、単に、物品を撮影できるだけでなく、ＱＲコード（登録商標）を認識可能となっている。
【００１５】
続いて、図３〜５を参照して、上述した構成から成る情報入手システム１のスマートフォン３０の制御手段３２の処理を説明する。まず、制御手段３２は、認識手段４０を起動させる入力手段３４からの操作を受け付けたか否かを判定する処理を行う（ステップＳ１）。ステップＳ１において、Ｙｅｓの場合、制御手段３２は、認識手段４０の起動信号を認識手段４０に送る処理（認識手段４０を起動させる処理）を行う（ステップＳ２）。一方、ステップＳ１において、Ｎｏの場合、制御手段３２は、認識手段４０を起動させる入力手段３４からの操作を受け付けるまで処理を繰り返す。
【００１６】
次に、制御手段３２は、表示手段３８に映し出されたタグ２０のＱＲコード（登録商標）を認識手段４０が認識したか否かを判定する処理を行う（ステップＳ３）。ステップＳ３において、Ｙｅｓの場合、制御手段３２は、認識したＱＲコード（登録商標）に対応付いたシートアレンジ、すなわち、動かすことができるシートアレンジが存在するか否かを判定する処理を行う（ステップＳ４）。一方、ステップＳ３において、Ｎｏの場合、制御手段３２は、表示手段３８に映し出されたタグ２０のＱＲコード（登録商標）を認識手段４０が認識するまで処理を繰り返す。
【００１７】
ステップＳ４において、Ｙｅｓの場合、制御手段３２は、存在するシートアレンジのアレンジメニュを記憶手段３６から読み出し、読み出したアレンジメニュを表示手段３８に表示させる処理を行う（ステップＳ５）。一方、ステップＳ４において、Ｎｏの場合、制御手段３２は、これら一連の処理を終了させた後に、再度、ステップ１に戻ってこれら一連の処理を繰り返す。
【００１８】
次に、制御手段３２は、表示させたアレンジメニュを受け付けたか否かを判定する処理を行う（ステップＳ６）。このステップＳ６では、チルトダウンが受け付けられている（図４参照）。ステップＳ６において、Ｙｅｓの場合、制御手段３２は、受け付けたアレンジメニュに対応したアレンジ映像を記憶手段３６から読み出し、読み出したアレンジ映像を表示手段３８に表示させる処理を行う（ステップＳ７）。
【００１９】
このステップＳ７では、チルトダウンのアレンジ映像（２列目シート１０がチルトダウン動作している映像）が表示されている（図５参照）。一方、ステップＳ６において、Ｎｏの場合、制御手段３２は、表示させたアレンジメニュの操作を受け付けるまで処理を繰り返す。
【００２０】
次に、制御手段３２は、表示させたアレンジ映像を終了させる入力手段３４からの操作を受け付けたか否かを判定する処理を行う（ステップＳ８）。ステップＳ８において、Ｙｅｓの場合、制御手段３２は、これら一連の処理を終了させた後に、再度、ステップ１に戻ってこれら一連の処理を繰り返す。一方、ステップＳ８において、Ｎｏの場合、制御手段３２は、表示させたアレンジ映像を終了させる入力手段３４からの操作を受け付けるまで処理を繰り返す。
【００２１】
本発明の実施例に係る情報入手システム１は、上述したように構成されている。この構成によれば、シートアレンジとしてチルトダウンが可能な２列目シート１０に取り付けられているタグ２０のＱＲコード（登録商標）をスマートフォン３０に認識させると、認識させたスマートフォン３０にこの２列目シート１０がチルトダウンしている映像を表示させることができる。すなわち、スマートフォン３０の簡単な操作のみで、２列目シート１０がチルトダウン動作している映像を表示させることができる。したがって、２列目シート１０の操作マニュアル（この場合、シートアレンジの操作マニュアル）を簡単に得ることができる。
【００２２】
上述した内容は、あくまでも本発明の一実施の形態に関するものであって、本発明が上記内容に限定されることを意味するものではない。
実施例では、「車両内機器」として、「２列目シート１０」を例に説明した。しかし、これに限定されることなく、「車内オーディオ」であっても構わない。
【００２３】
また、実施例では、「タグ」として、「ＱＲコード（登録商標）を有するタグ２０」を例に説明した。しかし、これに限定されるものでなく、「ＩＣタグ」であっても構わない。その場合、スマートフォン３０には、ＩＣタグ認識手段を備えており、ＩＣタグ認識手段がＩＣタグを認識すると、スマートフォン３０の制御手段３２は、ステップＳ３において、Ｙｅｓの場合と同様の処理を行うこととなる。また、「バーコード」であっても構わない。
【００２４】
また、実施例では、「シートアレンジ」として、「チルトダウン」を例に説明した。しかし、これに限定されるものでなく、「ダブルフォールド」、「チップアップ」、「タンブル」等であっても構わない。
【００２５】
また、実施例では、「携帯端末装置」として、「スマートフォン３０」を例に説明した。しかし、これに限定されるものでなく、「携帯電話」、「携帯タブレット」等であっても構わない。
【００２６】
また、実施例では、アレンジメニュおよびアレンジ映像を記憶手段３６から読み出す形態を説明した。しかし、これに限定されるものでなく、アレンジメニュおよびアレンジ映像を公衆回線を介してダウンロードする形態でも構わない。その場合、スマートフォン３０には、公衆回線を介して各種情報を送受信可能な送受信手段が備えられている必要がある。この形態によれば、アレンジメニュおよびアレンジ映像を記憶手段３６から読み出す形態と比較すると、記憶手段３６の記憶容量を小さくできる。
【００２７】
また、実施例では、２列目シート１０がチルトダウン動作している映像を表示手段３８に表示させている形態を説明した。しかし、これに限定されるものでなく、認識手段（カメラ）４０を通して２列目シート１０を表示手段３８に写し出し、この写し出した２列目シート１０に重なり合うようにチルトダウン動作を表示手段３８に表示（ＡＲ技術を利用した表示）させても構わない。
【００２８】
また、２列目シート１０がチルトダウン動作している映像をスマートフォン３０の表示手段３８に表示させているときに、スマートフォン３０の制御手段３２は入力手段３４から所定の入力操作を受け付けると、２列目シート１０に対して通常状態からチルトダウン状態に切り替わる電気的な指令を与えてもよい。その場合、２列目シート１０は、通常状態からチルトダウン状態に電気的に切り替え可能な構成となっている。
【００２９】
また、２列目シート１０のアレンジと異なるアレンジが可能な３列目シートが車内に設けられ、この３列目シートにもＩＣタグが設けられている場合、スマートフォン３０がどちらのＩＣタグ（２列目シート１０のＩＣタグか３列目シートのＩＣタグ）を認識しているか乗員が明確になるように、これらＩＣタグの電波範囲を２列目シート１０と３列目シートから短くしても構わない。
【符号の説明】
【００３０】
１      情報入手システム
１０    ２列目シート（車両内機器）
２０    タグ
３０    スマートフォン（携帯端末装置）
３６    記憶手段
３８    表示手段
４０    認識手段
【図１】
2014000912.tif 000003
【図２】
2014000912.tif 000004
【図３】
2014000912.tif 000005
【図４】
2014000912.tif 000006
【図５】
2014000912.tif 000007